(57)【要約】【課題】画面エリアに表示される表示画面に応じて次の表示画面を素早く表示させることが可能となるようにメニューエリアに呼出ボタンを表示させる。【解決手段】本表示装置１は、画面エリア２及びメニューエリア３を有する表示手段１０と、画面エリア２に表示される表示画面の次に表示されることの多い表示画面の表示頻度を集計する表示頻度集計手段１３と、表示頻度集計手段１３で集計した表示頻度を全ての表示画面ごとに対応して記憶する表示頻度記憶手段１４と、表示頻度記憶手段１４での表示頻度に基づいて画面エリア２に表示される今の表示画面に対して次に表示される頻度の高い表示画面に対応する呼出ボタン６が上位に表示されるようにメニューエリア３に表示する複数の呼出ボタン６を並べ替えるメニュー編集手段１５と、メニュー編集手段１５での表示順位に従ってメニューエリア３に複数の呼出ボタン６を表示させる表示処理手段１６とを備える。【選択図】図２
2007241599.tif 000002
【特許請求の範囲】
【請求項１】
所望の表示画面を表示するとともに表示画面の呼び出しを行う呼出ボタンを一覧表示する表示装置であって、
今の表示画面に対して次に表示される頻度の高い表示画面に対応する呼出ボタンが上位に表示されるようにする手段を備えることを特徴とする表示装置。
【請求項２】
所望の表示画面を表示するとともに表示画面の呼び出しを行う呼出ボタンを一覧表示する表示装置であって、
上記表示画面を表示する画面エリア及び上記呼出ボタンを一覧にして複数表示するメニューエリアを有する表示手段と、
上記画面エリアに表示される表示画面の次に表示されることの多い表示画面の表示頻度を集計する表示頻度集計手段と、
上記表示頻度集計手段で集計した表示頻度を全ての表示画面ごとに対応して記憶する表示頻度記憶手段と、
上記表示頻度記憶手段での表示頻度に基づいて、上記画面エリアに表示される今の表示画面に対して次に表示される頻度の高い表示画面に対応する呼出ボタンが上位に表示されるように上記メニューエリアに表示する複数の呼出ボタンを並べ替えるメニュー編集手段と、
上記メニュー編集手段での表示順位に従って上記メニューエリアに複数の呼出ボタンを表示させる表示処理手段とを備えることを特徴とする表示装置。
【請求項３】
請求項２に記載の表示装置において、
上記メニュー編集手段は、さらに、上記呼出ボタンの一覧の中から、本表示装置を接続する機械の状態や本表示装置の使用者のレベルによって表示禁止される表示画面に対応する呼出ボタンを省くように構成した表示装置。
【請求項４】
請求項２又は３に記載の表示装置において、
上記表示処理手段は、上記メニューエリアに表示する呼出ボタンのうち、上位のものほど強調表示するように構成した表示装置。
【請求項５】
請求項２乃至４のいずれかに記載の表示装置において、
上記表示処理手段は、上記メニューエリアに非表示となった表示頻度少の呼出ボタンを表示させる頻度少ボタンを表示するように構成した表示装置。
【請求項６】
画面エリアに所望の表示画面を表示するとともにメニューエリアに表示画面の呼び出しを行う呼出ボタンを一覧表示する表示装置における上記呼出ボタンの表示方法であって、
所定の画面において呼出ボタンの操作によって画面エリアに新たな表示画面を表示する度に、この新たな表示画面が前の表示画面の次に表示されることの多い表示画面として表示頻度を集計し記憶する集計ステップと、
次に、上記画面エリアに表示画面を表示すると、上記集計結果に基づいて、この画面エリアに表示する今の表示画面から次に表示されることの多い表示画面に対応する呼出ボタンが上位となるように上記メニューエリアに表示する呼出ボタンの表示順位を並び替える編集ステップと、
上記並び替えた表示順位に従って、上記メニューエリアに複数の呼出ボタンを一覧にして表示する表示ステップとを有することを特徴とする表示方法。
【請求項７】
請求項６に記載の表示方法において、
上記編集ステップは、さらに、上記呼出ボタンの一覧の中から、本表示装置を接続する機械の状態や本表示装置の使用者のレベルによって表示禁止される表示画面に対応する呼出ボタンを省くように処理する表示方法。
【発明の詳細な説明】
【技術分野】
【０００１】
本発明は、所望の表示画面を表示するとともに表示画面の呼出しを行う呼出ボタンを一覧表示する表示装置及び表示方法に関するものであり、例えば、成形品取出機のコントローラ等に利用される。
【背景技術】
【０００２】
例えば、成形品取出機のコントローラに具備する表示装置としては、前面の表示手段１０において成形品取出機の各種操作や監視等のための所望の表示画面を表示する画面エリア２と、この画面エリア２の横に設けられて上記表示画面の呼出しを行うためのアイコンからなる呼出ボタン６を一覧にして複数表示するメニューエリア３とを表示するものがある（図１参照）。そして、このメニューエリア３に表示する呼出ボタン６は、表示手段１０の画面に設けた登録ボタン５によって使用者が手動で設定できるようになっている。従って、使用者は、よく表示させる表示画面の呼出ボタン６を優先的に選んでメニューエリア３の上位に表示させることができ、また、あまり表示させない表示画面の呼出ボタン６はメニューエリア３の下位に移動させるか、あるいは非表示にすることができる。
【特許文献１】特開平９−８１３５７号公報
【発明の開示】
【発明が解決しようとする課題】
【０００３】
しかしながら、上記登録ボタン５によって設定された複数の呼出ボタン６は、画面エリア２にどのような表示画面が表示されていようとも関係なく固定的に表示されるので、今の表示画面から次に表示させたい表示画面に対応した呼出ボタン６が必ずしもメニューエリア３の上位に表示されていなかったり、非表示になっている場合がある。
その結果、メニューエリア３が設けられているにもかかわらず、呼出ボタン６を探すこととなったり、また、表示画面が階層構造となっていて対応する呼出ボタン６を見つけ出し難い等のために、目的の表示画面を表示させるのに時間がかかることがあった。そのため、成形品取出機のコントローラが多機能化されて多くの表示画面を持つことで、使用者にとっては使い難くなり、コントローラの操作に無駄な時間が増えて成形品取出機の停止時間が長くなり、成形品の生産性を低下させることにもなり兼ねなかった。
また、上記登録ボタン５での呼出ボタン設定は、使用者がその都度、手動で操作していく必要があるため面倒であった。
【０００４】
本発明は、上記事情に鑑みてなされたものであり、画面エリアに表示される表示画面に応じて次の表示画面を素早く表示させることが可能となるようにメニューエリアに呼出ボタンを表示させる表示装置及び表示方法を実現することを課題とする。
【課題を解決するための手段】
【０００５】
（１）本発明に係る表示装置は、
所望の表示画面を表示するとともに表示画面の呼び出しを行う呼出ボタンを一覧表示する表示装置であって、
今の表示画面に対して次に表示される頻度の高い表示画面に対応する呼出ボタンが上位に表示されるようにする手段を備えることを特徴とするものである（請求項１）。
これにより、使用者は、今の表示画面において次に表示させたい表示画面の呼出ボタンを容易に見つけ出すことができ、次の表示画面を素早く表示させることが可能となる。
【０００６】
（２）本発明に係る表示装置は、
所望の表示画面を表示するとともに表示画面の呼び出しを行う呼出ボタンを一覧表示する表示装置であって、
上記表示画面を表示する画面エリア及び上記呼出ボタンを一覧にして複数表示するメニューエリアを有する表示手段と、
上記画面エリアに表示される表示画面の次に表示されることの多い表示画面の表示頻度を集計する表示頻度集計手段と、
上記表示頻度集計手段で集計した表示頻度を全ての表示画面ごとに対応して記憶する表示頻度記憶手段と、
上記表示頻度記憶手段での表示頻度に基づいて、上記画面エリアに表示される今の表示画面に対して次に表示される頻度の高い表示画面に対応する呼出ボタンが上位に表示されるように上記メニューエリアに表示する複数の呼出ボタンを並べ替えるメニュー編集手段と、
上記メニュー編集手段での表示順位に従って上記メニューエリアに複数の呼出ボタンを表示させる表示処理手段とを備えることを特徴とするものである（請求項２）。
【０００７】
上記メニュー編集手段によって、表示手段の画面エリアに表示されている今の表示画面から次に表示されることの多い表示画面に対応する呼出ボタンが上位に表示されるように並べ替えられる。これにより、上記表示処理手段によって、表示手段のメニューエリアには、画面エリアに表示される表示画面ごとに対応して、使用者の使い方に応じてその使用者にとって次に表示させたい表示画面のための呼出ボタンが自動的に上位に表示される。従って、使用者は、今の表示画面において次に表示させたい表示画面の呼出ボタンを容易に見つけ出すことができ、次の表示画面を素早く表示させることが可能となる。
【０００８】
（３）上記メニュー編集手段は、さらに、上記呼出ボタンの一覧の中から、本表示装置を接続する機械の状態や本表示装置の使用者のレベルによって表示禁止される表示画面に対応する呼出ボタンを省くように構成してもよい（請求項３）。
上記表示禁止とは、例えば、本表示装置を成形品取出機のコントローラに装備した場合、成形品取出機の状態が自動運転中の場合は表示画面として「手動操作画面」や「段取替え画面」等が表示禁止され、また、成形品取出機の作業者が本表示装置の使用者の場合その作業者の熟練度や役職等に応じて特定の表示画面が表示禁止される等である。
これにより、上記メニューエリアから表示不可の表示画面に対応する呼出ボタンが省かれるので、次の操作等のために必要な表示画面も把握でき、使用者の使い勝手が向上する。
【０００９】
（４）上記表示処理手段は、上記メニューエリアに表示する呼出ボタンのうち、上位のものほど強調表示するように構成してもよい（請求項４）。
上記強調表示として、例えば、アイコンで表示する呼出ボタンを、上位のものほど大きく表示するとか、明度や彩度を活性化させて表示する等である。
これにより、今の表示画面から次に表示することの多い表示画面の呼出ボタンを一層容易に見つけ出すことができる。従って、次の表示画面を表示するための時間短縮ができ、しかも使用者の使い勝手も一層向上する。
【００１０】
（５）上記表示処理手段は、上記メニューエリアに非表示となった表示頻度少の呼出ボタンを表示させる頻度少ボタンを表示するように構成してもよい（請求項５）。
これにより、表示頻度少の呼出ボタンを容易に検索することができ、使用者の使い勝手が向上する。
【００１１】
（６）一方、本発明に係る表示方法は、
画面エリアに所望の表示画面を表示するとともにメニューエリアに表示画面の呼び出しを行う呼出ボタンを一覧表示する表示装置における上記呼出ボタンの表示方法であって、
所定の画面において呼出ボタンの操作によって画面エリアに新たな表示画面を表示する度に、この新たな表示画面が前の表示画面の次に表示されることの多い表示画面として表示頻度を集計し記憶する集計ステップと、
次に、上記画面エリアに表示画面を表示すると、上記集計結果に基づいて、この画面エリアに表示する今の表示画面から次に表示されることの多い表示画面に対応する呼出ボタンが上位となるように上記メニューエリアに表示する呼出ボタンの表示順位を並び替える編集ステップと、
上記並び替えた表示順位に従って、上記メニューエリアに複数の呼出ボタンを一覧にして表示する表示ステップとを有することを特徴とするものである（請求項６）。
【００１２】
上記集計ステップ及び上記編集ステップによって、画面エリアに表示されている今の表示画面から次に表示されることの多い表示画面に対応する呼出ボタンが上位に表示されるように並べ替えられる。これにより、上記表示ステップによって、メニューエリアには、画面エリアに表示される表示画面ごとに対応して、使用者の使い方に応じてその使用者にとって次に表示させたい表示画面のための呼出ボタンが自動的に上位に表示される。従って、使用者は、今の表示画面において次に表示させたい表示画面の呼出ボタンを容易に見つけ出すことができ、次の表示画面を素早く表示させることが可能となる。
【００１３】
（７）上記編集ステップは、さらに、上記呼出ボタンの一覧の中から、本表示装置を接続する機械の状態や本表示装置の使用者のレベルによって表示禁止される表示画面に対応する呼出ボタンを省くように処理してもよい（請求項７）。
これにより、上記メニューエリアから表示不可の表示画面に対応する呼出ボタンが省かれるので、次の操作等のために必要な表示画面も把握でき、使用者の使い勝手が向上する。
なお、上記表示禁止は、上記（３）で述べたとおりのことが例示される。
【発明の効果】
【００１４】
以上のように、本発明によれば、画面エリアに表示される表示画面ごとに、その使用者にとって次に表示させたい表示画面の呼出ボタンを容易に見つけ出し、次の表示画面を素早く表示させることが可能となるので、目的の表示画面を表示させるまでの時間を大幅に短縮できる。また、使用者にとっても目的の表示画面を表示させるに際して使い易くなる。
例えば、本発明を成形品取出機のコントローラに適用した場合では、コントローラが多機能化に伴って多くの表示画面を持つようになっても、その使用者の使い方に応じて目的の表示画面を素早く表示させてその表示までの時間を大幅に短縮でき、ひいてはコントローラの操作時間も短縮できる。このことは、コントローラの操作に伴う成形品取出機の停止時間が長くなることを防止して、成形品の生産性の向上を図ることができる。
【発明を実施するための最良の形態】
【００１５】
以下に本発明の実施の形態について図面を参照しながら説明する。
なお、以下の実施の形態では、成形機に設置される成形品取出機のコントローラに備える表示装置に使用される場合を例示する。
【００１６】
図１に示すように、この表示装置１の前面に配置する表示手段１０には、種々の画面が表示されるが、そのうち、メニューモード画面は、成形品取出機３０の各種操作や監視等のための所望の表示画面を表示する画面エリア２と、この画面エリア２に各種の表示画面を呼出すためのアイコンからなる呼出ボタン６を一覧にして複数表示するメニューエリア３とを有する。画面エリア２は、表示手段１０の大半に表示され、メニューエリア３は、この画面エリア２の左横側に上下方向に細長く表示される。なお、上記表示手段１０は、ＧＵＩ（Graphical User Interface）機能を有するタッチパネルとなっており、メニューエリア３から所望の呼出ボタン６をタッチ操作するとその呼出ボタン６に対応する表示画面が画面エリア２に表示され、また、表示画面の操作ボタン７をタッチ操作するとその操作ボタン７に応じて所定の設定、数値入力等が行えるようになっている。
【００１７】
メニューエリア３には、同じ大きさのアイコンからなる呼出ボタン６を縦２列にして複数個表示されるが、このメニューエリア３においてコントローラ２０の持っている全ての機能の表示画面に対応する全ての呼出ボタン６を表示することはできない。従って、工場出荷時等の初期状態では、予め登録された幾つかの呼出ボタン６がメニューエリア３に表示される。
【００１８】
なお、上記表示手段１０には、モードボタン４や登録ボタン５等が設けられている。モードボタン４は、表示手段１０において、メニューエリア３を表示する上記メニューモード画面と、メニューエリア３を表示せず表示画面の階層に応じたタブスイッチを表示画面の周囲に配置表示するタブモード画面とに画面切り替えするためのボタンである。上記タブスイッチは、表示画面のタイトルを表示するものであるが、一番下の階層のものは呼出ボタン６と一致する。また、上記登録ボタン５は、メニューエリア３に表示させたい呼出ボタン６を使用者が手動で任意に設定できるようにするためのボタンであり、従来のものと同様である。
【００１９】
そして、この表示装置１を使用しているうちに、上記メニューエリア３に表示される複数の呼出ボタン６は、上記画面エリア２に表示される今の表示画面から次に表示されることの多い表示画面に対応した順に並べ替えられ、この表示頻度の高い次の表示画面に対応する呼出ボタン６が上位に表示されるようになる。図１に示すメニューエリア３の表示順位としては、上方ほど順位が高く且つ同じ高さ位置では左側が高い順位としている。従って、上記メニューエリア３に表示される複数の呼出ボタン６においては、メニューエリア３の上方で左側に表示されるほど上位となる。ただし、この法則によるとメニューエリア３の一番上の左側の位置が最上位となるが、この位置には、画面エリア２に表示される今の表示画面に対応する呼出ボタン６が他の呼出ボタン６と区別されるように色反転、明度や彩度等を違えて表示される。従って、このメニューエリア３においては、次の表示画面を呼び出すための呼出ボタン６の表示順位は、一番上の右側の位置が最上位となり、以下は、上方で左側に表示されるほど上位となる。
【００２０】
次に、上記表示装置１の構成を説明する。
図２のブロック図に示すように、上記表示装置１は、上記表示画面を表示する画面エリア２及び上記呼出ボタン６を一覧にして複数表示するメニューエリア３を有する上述の表示手段１０のほか、各種の表示画面の画像データを格納する第１記憶手段１１と、各種の呼出ボタン６の画像データを格納する第２記憶手段１２と、上記画面エリア２に表示される表示画面の次に表示されることの多い表示画面の表示頻度を集計する表示頻度集計手段１３と、上記表示頻度集計手段１３で集計した表示頻度を全ての表示画面ごとに対応して記憶する表示頻度記憶手段１４と、上記表示頻度記憶手段１４での表示頻度に基づいて、上記画面エリア２に表示される今の表示画面に対して次に表示される頻度の高い表示画面に対応する呼出ボタン６が上位に表示されるように上記メニューエリア３に表示する複数の呼出ボタン６を並べ替えるメニュー編集手段１５と、上記画面エリア２に所望の表示画面を表示させるとともに、上記メニュー編集手段１５での表示順位に従って上記メニューエリア３に複数の呼出ボタン６を表示させる表示処理手段１６とを備える。
【００２１】
上記表示頻度記憶手段１４は、例えば、全ての表示画面名を一覧表にしたテーブルとして記憶される。このテーブルとしては、例えば、図３に示すように、縦列左端の見出欄Ｍ１に今の表示画面として全ての表示画面名を配列し、横列上端の見出欄Ｍ２に今の表示画面から次に表示された表示画面として全ての表示画面名を配列したマトリクスを作成し、このマトリクスの枠内に今の表示画面から次に表示された表示画面の表示回数（累積値）を記入する。この表示回数が多いほど、その横列上端の見出欄Ｍ２に示す表示画面は、縦列左端の見出欄Ｍ１に示す表示画面の次に表示される表示頻度が高いということになる。
【００２２】
そして、上記メニュー編集手段１５は、このテーブルにおいて今表示に当たる表示画面名のところの横列を参照して表示頻度の高い順に、対応する呼出ボタン６を並び替える。また、このメニュー編集手段１５は、さらに、上記呼出ボタン６の一覧の中から成形品取出機３０の状態や本表示装置１の使用者のレベルによって表示禁止される表示画面に対応する呼出ボタン６を省くように構成されている。すなわち、成形品取出機３０が自動運転中の場合はその手動操作や段取替え等が安全上等の理由で実行できないから表示画面として「手動操作画面」や「段取替え画面」等が表示禁止され、また、使用者における成形品取出機３０の扱い等の熟練度やその者の役職等に応じて特定の表示画面が表示禁止されることがあるので、これらの表示禁止される表示画面に対応する呼出ボタン６を非表示とするため事前に省くようにする。
【００２３】
なお、この表示装置１を具備する成形品取出機３０のコントローラ２０には、制御部２１が設けられており（図２参照）、この制御部２１が表示装置１との間及び成形品取出機３０との間で信号のやり取りを行っているので、表示装置１を設けたコントローラ２０側で成形品取出機３０の状態を把握することができる。また、成形品取出機３０は、その動作のタイミング制御等のため成形機４０との間でも信号のやり取りが行われている。
【００２４】
次に、上記表示装置１におけるメニューエリア３の表示方法を説明する。
図４のフローチャートに示すように、まず、表示手段１０でメニューモード画面の表示が開始されて画面エリア２に所望の表示画面が表示されると（Ｓ１）、この表示画面に応じたメニュー編集処理が行われ（Ｓ２：編集ステップ）、メニューエリア３に編集後の所定の呼出ボタン６が一覧に縦２列に並べられて表示される（Ｓ３：表示ステップ）。
【００２５】
その後、他の呼出ボタン６がタッチ操作されると（Ｓ４）、上記画面エリア２にはタッチ操作した呼出ボタン６に対応する次の表示画面が今の表示画面から切り替わって表示される（Ｓ５）。このときも、今回新たに表示される表示画面に応じたメニュー編集処理が行われ（Ｓ２：編集ステップ）、メニューエリア３に編集後の所定の呼出ボタン６が表示される（Ｓ３：表示ステップ）。
そして、この新たな表示画面が数秒間継続して表示されるか、表示画面上で何らかの操作が行われることで画面確定され、すると、この画面確定した新たな表示画面は、前の表示画面の次に表示されることの多い表示画面として、前の表示画面と関連付けて表示頻度が集計され、この表示頻度が記憶される（Ｓ６：集計ステップ）。なお、この集計ステップ（Ｓ６）は、上記モードボタン４によりこのメニューモード画面から画面切り替えされたタブモード画面において上記呼出ボタン６となるタブスイッチを操作して次の表示画面を表示させたときにも実行される。
【００２６】
一方、成形品取出機３０のステータスが変更されたり（自動運転終了など）、あるいは使用者の変更があると（Ｓ７）、この場合も、これらの変更に応じて上記メニュー編集処理が行われ（Ｓ２：編集ステップ）、メニューエリア３に編集後の所定の呼出ボタン６が表示される（Ｓ３：表示ステップ）。なお、成形品取出機３０のステータス変更は、成形品取出機３０とコントローラ２０との間の信号のやり取りから知ることができ、また、使用者変更は、新たな使用者によるコントローラ２０へのその者のＩＤコード入力から知ることができる。
【００２７】
次に、図５のフローチャートに示すように、上記ステップＳ２の編集ステップは、まず、上記ステップＳ６の集計ステップでの集計結果（例えば、図３のテーブル）に基づいて、上記画面エリア２に表示される今の表示画面から次に表示されることの多い表示画面に対応する呼出ボタン６が上位となるように並び替えが行われる（Ｓ２１）。
そして、この並び替えられた呼出ボタン６の一覧の中から、現在の成形品取出機３０の状態で表示禁止される表示画面に対応する呼出ボタン６を省くように処理される（Ｓ２２）。例えば、成形品取出機３０が自動運転中の場合は表示禁止される「手動操作画面」や「段取替え画面」等を呼び出す呼出ボタン６が省かれる。また、上記の呼出ボタン６の一覧の中から、今の使用者レベルで表示禁止される表示画面に対応する呼出ボタン６を省くように処理される（Ｓ２３）。例えば、使用者の熟練度やその者の役職等に応じて表示禁止される特定の表示画面を呼び出す呼出ボタン６が省かれる。これにより、上記メニューエリア３から表示不可の表示画面に対応する呼出ボタン６が省かれるので、次の操作等のために必要な表示画面も把握でき、使用者の使い勝手が向上する。
【００２８】
このようにして、画面エリア２に表示される今の表示画面ごとに、次に表示されることの多い表示画面の順に対応して、メニューエリア３に表示すべき呼出ボタン６の表示順位が確定される。そして、最終的に確定したこの表示順位に従って、上位の呼出ボタン６から順にメニューエリア３の上方で左側に表示されるように（ただし、最上方の左側には今の表示画面の呼出ボタン６が表示される。）、呼出ボタン６が再配置される。なお、メニューエリア３に表示可能な呼出ボタン６の数には限りがあるため、メニューエリア３の定員数分の上位の呼出ボタン６だけがメニューエリア３に表示されることとなる。
【００２９】
以上のように、本実施の形態による表示装置１によれば、表示手段１０の画面エリア２に表示されている今の表示画面から次に表示されることの多い表示画面に対応する呼出ボタン６が上位に表示されるように並べ替えられる。これにより、表示手段１０のメニューエリア３には、画面エリア２に表示される表示画面ごとに対応して、使用者の使い方に応じてその使用者にとって次に表示させたい表示画面のための呼出ボタン６が自動的に上位に表示される。従って、使用者は、今の表示画面において次に表示させたい表示画面の呼出ボタン６を容易に見つけ出すことができ、次の表示画面を素早く表示させることが可能となる。その結果、目的の表示画面を表示させるまでの時間を大幅に短縮できる。また、使用者にとっても目的の表示画面を表示させるに際して使い易くなる。
【００３０】
特に、本表示装置１を成形品取出機３０のコントローラ２０に適用することで、コントローラ２０が多機能化に伴って多くの表示画面を持つようになっても、その使用者の使い方に応じて目的の表示画面を素早く表示させてその表示までの時間を大幅に短縮でき、ひいてはコントローラ２０の操作時間も短縮できる。このことは、コントローラ２０の操作に伴う成形品取出機３０の停止時間が長くなることを防止して、成形品の生産性の向上を図ることができる。
【００３１】
なお、本発明は、上記実施の形態のみに限定されず、適宜に設計変更することが可能である。
（１）上記表示処理手段１６は、上記メニューエリア３に表示する呼出ボタン６のうち、上位のものほど強調表示するように構成してもよい。この強調表示として、例えば、図６に示すように、上位の呼出ボタン６は、そのアイコンを大きく表示することが例示される。その他、アイコンの大きさは同じにし、上位の呼出ボタン６は、色を変えるとか、明度や彩度を活性化させて表示することでもよい。これにより、今の表示画面から次に表示することの多い表示画面の呼出ボタン６を一層容易に見つけ出すことができ、その結果、次の表示画面を表示するための時間短縮ができ、しかも使用者の使い勝手も一層向上する。
（２）上記表示処理手段１６は、図６に示すように、上記メニューエリア３に非表示となっている表示頻度少の呼出ボタン６を表示させる頻度少ボタン８をメニューエリア３か、その他の場所に表示するように構成してもよい。これにより、表示頻度少の呼出ボタン６を容易に検索することができ、使用者の使い勝手が向上する。
（３）上記表示手段１０は、ＧＵＩ機能を有するタッチパネルで構成するが、単なるディスプレイ装置で構成し、キーボードやマウス等の入力手段で操作するものでもよい。
（４）上記メニューエリア３には、画面エリア２に表示される今の表示画面の呼出ボタン６を表示するが、このような呼出ボタン６は非表示となるようにしてもよい。
（５）また、本発明の表示装置１や表示方法は、成形品取出機３０のコントローラ２０のみならず、成形機４０や各種の生産機械の操作や管理等のためのパネル類の表示装置１、生産管理等のための端末装置のモニター装置、携帯端末機の表示装置１、コンピュータの表示装置１などその他種々の表示装置１に適用することができる。
【図面の簡単な説明】
【００３２】
【図１】本発明の実施の形態による表示装置のメニューモード画面を示す画面構成図である。
【図２】本発明の実施の形態による表示装置の内部構成を示すブロック図である。
【図３】表示頻度記憶手段における表示頻度を記憶するテーブルの一例を示す模式図である。
【図４】本発明の実施の形態による表示装置におけるメニューエリア表示手順（表示方法）を示すフローチャートである。
【図５】メニューエリア表示手順における編集ステップの手順を示すフローチャートである。
【図６】メニューエリアの他の表示例を示す画面構成図である。
【符号の説明】
【００３３】
１  表示装置
２  画面エリア
３  メニューエリア
６  呼出ボタン
８  頻度少ボタン
１０  表示手段
１１  第１記憶手段
１２  第２記憶手段
１３  表示頻度集計手段
１４  表示頻度記憶手段
１５  メニュー編集手段
１６  表示処理手段
２０  コントローラ
３０  成形品取出機
４０  成形機
【図１】
2007241599.tif 000003
【図２】
2007241599.tif 000004
【図３】
2007241599.tif 000005
【図４】
2007241599.tif 000006
【図５】
2007241599.tif 000007
【図６】
2007241599.tif 000008